【事件の表示】
　特許第２９７４２２２号「写真焼付装置及びその制御方法」の請求項１ないし３、５、６に係る特許に対する特許異議の申立てについて、次のとおり決定する。
【結　論】
　訂正を認める。
　特許第２９７４２２２号の請求項１ないし４に係る特許を維持する。
【理　由】
（１）手続きの経緯
　本件特許第２９７４２２２号発明は、平成３年１２月３日に出願され、平成１１年９月３日にその発明の特許がなされ、その後、中森　繁雄より特許異議の申立てがなされ、取消理由通知がなされ、その指定期間内である平成１２年９月１８日に訂正請求（後日、取り下げ）がなされ、再度の取消理由通知がなされ、その指定期間内である平成１３年１月１５日に訂正請求がなされたものである。
（２）訂正の適否についての判断
（ｉ）特許請求の範囲の訂正
ア.訂正明細書の請求項１に係る発明
　訂正明細書の請求項１に係る発明は、その特許請求の範囲の請求項１に特定された次のとおりのものである。
　「【請求項１】画像が記録されたフイルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光電変換手段から出力された信号に基づいて画像を表示する表示手段と、前記光反射手段を移動させる移動手段と、を備えた写真焼付装置において、光反射手段を前記移動手段によって前記第１の位置に移動させ、光反射手段が第１の位置に位置している状態で、フイルムに記録された複数の画像が焼付位置を順に通過するように前記搬送手段によってフイルムを搬送させると共に、フイルム上の画像記録領域を透過した光を光電変換手段によって電気信号に変換し、前記光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、光反射手段が第２の位置に位置している状態で、前記複数の画像が焼付位置を順に通過するように搬送手段によってフイルムを搬送させると共に、前記記憶した焼付条件に基づいて各画像を順に印画紙に焼付ける写真焼付装置の制御方法。」
イ.訂正明細書の請求項２に係る発明
　訂正明細書の請求項２に係る発明は、その特許請求の範囲の請求項２に特定された次のとおりのものである。
　「【請求項２】画像が記録されたフイルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光電変換手段から出力された信号に基づいて画像を表示する表示手段と、前記光反射手段を移動させる移動手段と、を備えた写真焼付装置において、光反射手段を前記移動手段によって前記第１の位置に移動させ、光反射手段が第１の位置に位置している状態で、フイルムに記録された複数の画像が焼付位置に順に位置決めされるように前記搬送手段によってフイルムを搬送させると共に、フイルム上の画像記録領域を透過した光を光電変換手段によって電気信号に変換し、前記表示手段に表示された画像に基づいて、フイルムに記録された画像の位置を確定するための情報が入力され、入力された情報により確定した画像位置を記憶することを各画像について順に行い、かつ、光反射手段を移動手段によって前記第２の位置に移動させた後に、光反射手段が第２の位置に位置している状態で、前記記憶した情報に基づき前記複数の画像が焼付位置に順に位置決めされるように、搬送手段によってフイルムを搬送させると共に、各画像を順に印画紙に焼付ける写真焼付装置の制御方法。」
ウ.訂正明細書の請求項３に係る発明
　訂正明細書の請求項３に係る発明は、その特許請求の範囲の請求項３に特定された次のとおりのものである。
　「【請求項３】フイルムに記録された画像を印画紙に焼付ける際には、前記光電変換手段が光電変換を行う際と逆の方向にフイルムを搬送することを特徴とする請求項１記載の写真焼付装置の制御方法。」
エ.訂正明細書の請求項４に係る発明
　訂正明細書の請求項４に係る発明は、その特許請求の範囲の請求項４に特定された次のとおりのものである。
　「【請求項４】画像が記録されたフイルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光電変換手段から出力された信号に基づいて画像を表示する表示手段と、前記光反射手段を移動させる移動手段と、光反射手段を前記移動手段によって前記第１の位置に移動させ、光反射手段が第１の位置に位置している状態で、フイルムに記録された複数の画像が焼付位置を順に通過するように前記搬送手段によってフイルムを搬送させると共に、フイルム上の画像記録領域を透過した光を光電変換手段によって電気信号に変換し、前記光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、光反射手段が第２の位置に位置している状態で、前記複数の画像が焼付位置を順に通過するように搬送手段によってフイルムを搬送させると共に、前記記憶した焼付条件に基づいて各画像を順に印画紙に焼付ける制御手段と、を有する写真焼付装置。」
（ｉｉ）発明の詳細な説明の訂正
ア.明細書の段落【００１０】の「変換することを各画像について順に行った後に、光反射手段を移動手段によって前記第２の位置に移動させ、光反射手段が」を『変換し、前記光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、光反射手段が』と訂正し、「と共に、各画像を」を『と共に、前記記憶した焼付条件に基づいて各画像を』と訂正する。
イ.明細書段落【００１１】及び【００１２】中の記載を削除する。
ウ.明細書段落【００１３】の「請求項４記載の発明は、請求項１の発明・・・画像の位置決めを行うことを特徴としている。」を『請求項２記載の発明に係る写真焼付装置の制御方法は、画像が記録されたフイルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光電変換手段から出力された信号に基づいて画像を表示する表示手段と、前記光反射手段を移動させる移動手段と、を備えた写真焼付装置において、光反射手段を前記移動手段によって前記第１の位置に移動させ、光反射手段が第１の位置に位置している状態で、フイルムに記録された複数の画像が焼付位置に順に位置決めされるように前記搬送手段によってフイルムを搬送させると共に、フイルム上の画像記録領域を透過した光を光電変換手段によって電気信号に変換し、前記表示手段に表示された画像に基づいて、フイルムに記録された画像の位置を確定するための情報が入力され、入力された情報により確定した画像位置を記憶することを各画像について順に行い、かつ、光反射手段を移動手段によって前記第２の位置に移動させた後に、光反射手段が第２の位置に位置している状態で、前記記憶した情報に基づき前記複数の画像が焼付位置に順に位置決めされるように、搬送手段によってフイルムを搬送させると共に、各画像を順に印画紙に焼付ける』と訂正する。
エ.明細書段落【００１４】の「請求項５記載」を『請求項３記載』と訂正する。
オ.明細書段落【００１５】の「請求項６記載」を『請求項４記載』と訂正し、「変換することを各画像について順に行った後に、光反射手段を移動手段によって前記第２の位置に移動させ、光反射手段が」を『変換し、前記光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、光反射手段が』と訂正し、「と共に、各画像を」を『と共に、前記記憶した焼付条件に基づいて各画像を』と訂正する。
カ.明細書段落【００２１】の「なお、光電変換手段から出力された信号は、・・・前記画像の焼付けを行うことができる。」を『更に請求項１記載の発明は、光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、補正情報の入力が有る場合には、入力された補正情報に応じて焼付条件を補正し、焼付条件を記憶することを各画像について順に行う。これにより、記憶した焼付条件に基づいて印画紙への画像の焼付けを行うことができる。』と訂正する。
キ.明細書段落【００２２】中の記載を削除する。
ク.明細書段落【００２５】の「請求項６記載」を『請求項４記載』と訂正し、「変換することを各画像について順に行った後に、光反射手段を移動手段によって第２の位置に移動させ、光反射手段が」を『変換し、光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって第２の位置に移動させた後に、光反射手段が』と訂正し、「と共に、各画像を」を『と共に、前記記憶した焼付条件に基づいて各画像を』と訂正する。
ケ.明細書段落【００４１】の「請求項４に記載の」を『請求項２に記載の』と訂正する。
コ.明細書段落【００４２】の「請求項３に記載の「焼付条件を確定するための情報」に相当」を『請求項１に記載の補正情報に相当』と訂正する。
サ.明細書段落【００４３】の「請求項２及び請求項３に記載の」を『請求項１に記載の』と訂正する。
（ｉｉｉ）訂正の目的の適否及び拡張・変更の存否等
　上記訂正（ｉ）は、訂正前請求項２および３を削除し、訂正前請求項４〜６を、請求項２〜４と繰り上げ、請求項１、２、４に限定を加えたものであり、特許請求の範囲の減縮ないし明りょうでない記載の釈明に該当し、願書に添付した明細書又は図面に記載された事項の範囲内のものであり、実質的に特許請求の範囲を拡張又は変更するものではなく、新規事項の追加もない。また、上記訂正（ｉｉ）は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
　なお、異議申し立ての対象ではない請求項２（訂正前請求項４）についても訂正されたが、後述する通り、独立して特許を受けることができるものである。
（ｉｖ）むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア.申立ての理由の概要
　申立人中森　繁雄は、証拠として甲第１号証（特開昭６１−９１６４８号公報）、甲第２号証（米国特許第４６２７７１９号明細書及び図面）、甲第３号証（特開平２−２２８６４４号公報）を提出し、訂正前の請求項１〜３、５、６に係る発明は、特許法第２９条第２項の規定に違反してなされたものであるから、特許を取り消すべき旨主張している。
イ.判断
［引用刊行物に記載された発明］
　同じく引用した甲第２号証（米国特許第４６２７７１９号明細書及び図面）には、甲第１号証とほとんど同じ技術内容が記載されている。
　同じく引用した甲第３号証（特開平２−２２８６４４号公報）には、「第１図において、光源１０から放出された白色光は、拡散箱１１で拡散されてから、フイルムキャリヤ１２にセットされた原画例えばカラーネガフイルム１３のコマを照明する。」（第２頁右下欄第７〜１０行）、「前記カラーネガフイルム１３の下方には、モータ２１で回転されるターレット２２が配置されている。このターレット２２には、複数の焼付レンズ例えば２個の焼付レンズ２３ａ、２３ｂが取り付けられており、カラーネガフイルム１３やカラーペーパー２４の画面サイズによって決まる引伸倍率に応じて、いずれか１つが選択されて焼付光路２０にセットされる。また、ターレット２２には、撮像及び測光用の開口２２ａが形成されており、モニタ時に開口２２ａが焼付光路２０にセットされる。前記ターレット２２を通った光は、ミラー２５を介して横方向に反射され、ズームレンズ２６に入射する。このミラー２５は、写真焼付時に焼付光路２０から退避する。・・・このハーフミラー２７で反射した光は、赤色、緑色、青色のエリアを所定のピッチで形成した色フィルタ２８を介して撮像用イメージセンサーユニット２９に入射する。他方、ハーフミラー２７を透過した光は、色フィルタ３０を介して測光用イメージセンサーユニット３１に入射する。前記撮像用イメージセンサーユニット２９から出力されたビデオ信号は画像処理部３３に送られ、カラーペーパー２４の特性をシュミレートする。画像処理部３３から出力されたビデオ信号は、カラーモニタ３４に送られ、作製されるべきプリント写真に対応したシミュレート画像が表示される。なお、撮像用イメージセンサーユニット２９から出力された同期信号は、画像処理部３３とカラーモニタ３４とに送られる。前記測光用イメージセンサーユニット３１は、第４図に示すように、画面１３ａを複数のエリアに分割し、各エリアを三色分解測光する。この実施例では、縦「１４」、横「１８」に分割し、「２５２」の測定点で三色分解測光を行ない、全部で「７５６」のスポットデータを求めている。測光用イメージセンサーユニット３１は、各測定点の赤色、緑色、青色の色信号を読み出し、時系列信号としてＡ／Ｄ変換器３５を介して対数変換器３６に送り、ここで対数変換されて濃度（厳密には濃度に比例した対数変換値）信号となる。この濃度信号は、マイクロコンピュータから構成された演算ユニット３７に送られ、ここで大面積平均透過濃度（ＬＡＴＤ）と、スキャナー濃度補正量とが算出される。なお、これらの各回路によってスキャナーが構成される。スキャナーで求めた大面積平均透過濃度、スキャナー濃度補正量のデータは、バスライン３８を介してＲＡＭ３９に書き込まれる。この書込み後に、データがＣＰＵ５１に取り込まれ、露光量演算式に代入されて、赤色、緑色、青色露光量がそれぞれ算出される。・・・キーボード４２は、写真焼付系のマニュアル色修正量を入力するためのカラー補正キー４３、写真焼付系のマニュアル濃度修正量を入力するための濃度補正キー４４、特定なシーンに対してマニュアル濃度修正量とマニュアル色修正量とを同時に入力するためのファンクションキー４５、走査指示を入力するための操作キー４７、ペーパー種、ネガ種、プリントサイズ種等のチャンネルデータ等を入力するためのデータ入力キー４８、プリントキー４９が設けられている。このキーボード４２から入力された指令やデータは、Ｉ/Ｑポート５０を介してＣＰＵ５１に送られる。」（第２頁右下欄末行〜第３頁右下欄第１０行）、「まず、キーボード４２を操作してペーパーチャンネル、ネガチャンネル、プリントサイズチャンネルを選択してから、カラーネガフイルム１３をフイルムキャリア１２にセットする。モニタ開始時には、色フイルタ１６〜１８が測光位置にセットされ、またターレット２２の開口２２ａ及びミラー２５が焼付光路２０にセットされている。更に、ズームレンズ２６はカラーネガフイルム１３の画面サイズに応じた倍率に自動設定される。測光用イメージセンサーユニット３１は、プリントすべきコマの各点を三色分解測光し、測光データを演算ユニット３７に送る。」（第５頁右上欄第１０行〜左下欄第２行）、及び「また、モニタ時には、仕上がりプリント写真をシミュレートした画像がカラーモニタ３４に表示される。このカラーモニタ３４を観察してプリント写真の仕上がりが適正であるかどうかについて判定する。もし、濃度が不適正であると認められる場合には、写真焼付系の濃度補正キー４４を操作してマニュアル濃度修正量α１を入力すれば、演算部７４はマニュアル濃度修正量α１に応じて露光量が増減される。同様にカラーバランスが不適正の場合には、カラー補正キー４３を操作してマニュアル色修正量α３を入力すれば、露光量が増減される。この修正された露光量に応じて色フイルタ１６〜１８のセット位置が調節されてコマの照明状態が変化するから、カラーモニタ３４に表示されたシミュレータ画像は濃度又はカラーバランスが修正される。なお、ファンクションキー４５は、濃度補正と色補正とを同時に行うものであるから、これが操作されたときにも露光量が増減される。仕上がりが良好であると認められる場合には、キーボード４２のプリントキー４９を操作する。このプリントキー４９が操作されると、ターレット２２が回転して、焼付レンズ２３ａ、２３ｂの中から、引伸倍率に応じたものを選択して焼付光路２０にセットし、またミラー２５が焼付光路２０から退避する。この直後にシャッタ５４が作動し、色フイルタ１６〜１８で光質が調節された焼付光により、カラーネガフイルム１３のコマがカラーペーパー２４に焼き付けられる。」（第５頁右下欄第８行〜第６頁左上欄第１６行）との記載がある。
＜２９条第２項の違反について＞
〔本件請求項１に係る発明〕
　本件請求項１に係る発明と、上記甲第１号証に記載された発明とを、対比すると、本件請求項１に係る発明の「フイルム」、「搬送手段」、「光電変換手段」、「光源」、「印画紙」、「光反射手段」、「移動手段」は、それぞれ、上記甲第１号証に記載された「フイルム１０」、「ローラー２０、２１、ニップ２９、３０」、「光電監視単位装置２３」、「光源１１１」、「写真印画紙２２４」、「鏡７」、「回転電磁石５、ベルクランクレバー６」に相当するから、両者は、画像が記録されたフイルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光反射手段を移動させる移動手段と、を備えた写真焼付装置において、光反射手段を前記移動手段によって前記第１の位置に移動させ、フイルムに記録された複数の画像が焼付位置を順に通過するように前記搬送手段によってフイルムを搬送させると共に、フイルム上の画像記録領域を透過した光を光電変換手段によって電気信号に変換し、かつ、光反射手段を移動手段によって前記第２の位置に移動させた後に、光反射手段が第２の位置に位置している状態で、前記複数の画像が焼付位置を順に通過するように搬送手段によってフイルムを搬送させると共に、各画像を順に印画紙に焼付ける写真焼付装置の制御方法、で一致し、
Ａ本件請求項１に係る発明は、前記光電変換手段から出力された信号に基づいて画像を表示する表示手段を有するのに対して、上記甲第１号証に記載の発明は、そのような記載が無い点、
Ｂ本件請求項１に係る発明は、光反射手段が第１の位置に位置している状態で、前記光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行うのに対して、上記甲第１号証に記載の発明は、前もって決定したパラメーターを個々に光電的に監視する点、
Ｃ本件請求項１に係る発明は、前記記憶した焼付条件に基づいて焼き付けるのに対して、上記甲第１号証に記載の発明は、そのような記載が無い点
で相違する。
　そこで、上記相違点Ａ、Ｂ、Ｃが、上記甲第３号証に開示されているか否かを検討すると、相違点Ａは開示されているが、相違点Ｂ、Ｃは、開示されていない。
　してみれば、上記甲各号証には、上記Ｂ、Ｃの構成が開示されていない。
　本件請求項１に係る発明は、これらの構成を有することによって、明細書記載の作用効果を奏するものであるから、上記甲各号証のいずれかに記載された発明であるとも、上記甲各号証に基づいて、当業者が容易に推考できたものであるとも言えない。
〔本件請求項２に係る発明〕
　本件請求項２に係る発明と、上記甲第１号証に記載された発明とを、対比すると、本件請求項２に係る発明の「フイルム」、「搬送手段」、「光電変換手段」、「光源」、「印画紙」、「光反射手段」、「移動手段」は、それぞれ、上記甲第１号証に記載された「フイルム１０」、「ローラー２０、２１、ニップ２９、３０」、「光電監視単位装置２３」、「光源１１１」、「写真印画紙２２４」、「鏡７」、「回転電磁石５、ベルクランクレバー６」に相当するから、両者は、画像が記録されたフイルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光反射手段を移動させる移動手段と、を備えた写真焼付装置において、光反射手段を前記移動手段によって前記第１の位置に移動させ、光反射手段が第１の位置に位置している状態で、フイルムに記録された複数の画像が焼付位置に順に位置決めされるように前記搬送手段によってフイルムを搬送させると共に、フイルム上の画像記録領域を透過した光を光電変換手段によって電気信号に変換し、かつ、光反射手段を移動手段によって前記第２の位置に移動させた後に、光反射手段が第２の位置に位置している状態で、前記複数の画像が焼付位置に順に位置決めされるように、搬送手段によってフイルムを搬送させると共に、各画像を順に印画紙に焼付ける写真焼付装置の制御方法、で一致し、
Ａ本件請求項２に係る発明は、前記光電変換手段から出力された信号に基づいて画像を表示する表示手段を有するのに対して、上記甲第１号証に記載の発明は、そのような記載が無い点、
Ｂ’本件請求項２に係る発明は、光反射手段が第１の位置に位置している状態で、前記光電変換手段から出力された信号に基づいて、前記表示手段に表示された画像に基づいて、フイルムに記録された画像の位置を確定するための情報が入力され、入力された情報により確定した画像位置を記憶することを各画像について順に行うのに対して、上記甲第１号証に記載の発明は、前もって決定したパラメーターを個々に光電的に監視する点、
Ｃ’本件請求項２に係る発明は、前記記憶した情報に基づき位置決めされるのに対して、上記甲第１号証に記載の発明は、そのような記載が無い点
で相違する。
　そこで、上記相違点Ａ、Ｂ’、Ｃ’が、上記甲第３号証に開示されているか否かを検討すると、相違点Ａは開示されているが、相違点Ｂ’、Ｃ’は、開示されていない。
　してみれば、上記甲各号証には、上記Ｂ’、Ｃ’の構成が開示されていない。
　本件請求項２に係る発明は、これらの構成を有することによって、明細書記載の作用効果を奏するものであるから、上記甲各号証のいずれかに記載された発明であるとも、上記甲各号証に基づいて、当業者が容易に推考できたものであるとも言えない。
〔本件請求項３に係る発明〕
本件請求項３に係る発明は、本件請求項１に係る発明の構成の一部をさらに限定したものであるから、本件請求項１に係る発明と同様の判断である。
〔本件請求項４に係る発明〕
　本件請求項４に係る発明と、上記甲第１号証に記載された発明とを、対比すると、本件請求項４に係る発明の「フイルム」、「搬送手段」、「光電変換手段」、「光源」、「印画紙」、「光反射手段」、「移動手段」は、それぞれ、上記甲第１号証に記載された「フイルム１０」、「ローラー２０、２１、ニップ２９、３０」、「光電監視単位装置２３」、「光源１１１」、「写真印画紙２２４」、「鏡７」、「回転電磁石５、ベルクランクレバー６」に相当するから、両者は、画像が記録されたフイルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光反射手段を移動させる移動手段と、光反射手段を前記移動手段によって前記第１の位置に移動させ、光反射手段が第１の位置に位置している状態で、フイルムに記録された複数の画像が焼付位置を順に通過するように前記搬送手段によってフイルムを搬送させると共に、フイルム上の画像記録領域を透過した光を光電変換手段によって電気信号に変換し、かつ、光反射手段を移動手段によって前記第２の位置に移動させた後に、光反射手段が第２の位置に位置している状態で、前記複数の画像が焼付位置を順に通過するように搬送手段によってフイルムを搬送させると共に、各画像を順に印画紙に焼付ける制御手段と、を有する写真焼付装置、で一致し、
Ａ本件請求項４に係る発明は、前記光電変換手段から出力された信号に基づいて画像を表示する表示手段を有するのに対して、上記甲第１号証に記載の発明は、そのような記載が無い点、
Ｂ本件請求項４に係る発明は、光反射手段が第１の位置に位置している状態で、前記光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行うのに対して、上記甲第１号証に記載の発明は、前もって決定したパラメーターを個々に光電的に監視する点、
Ｃ本件請求項４に係る発明は、前記記憶した焼付条件に基づいて焼き付けるのに対して、上記甲第１号証に記載の発明は、そのような記載が無い点
で相違する。
　そこで、上記相違点Ａ、Ｂ、Ｃが、上記甲第３号証に開示されているか否かを検討すると、相違点Ａは開示されているが、相違点Ｂ、Ｃは、開示されていない。
　してみれば、上記甲各号証には、上記Ｂ、Ｃの構成が開示されていない。
　本件請求項４に係る発明は、これらの構成を有することによって、明細書記載の作用効果を奏するものであるから、上記甲各号証のいずれかに記載された発明であるとも、上記甲各号証に基づいて、当業者が容易に推考できたものであるとも言えない。
ウ.むすび
　以上のとおりであるから、特許異議申立の理由及び証拠によっては、本件請求項１〜４に係る発明の特許を取り消すことはできない。
　また、他に本件請求項１〜４に係る発明の特許を取り消すべき理由を発見しない。
　よって、結論のとおり決定する。
【異議決定日】
平成１３年２月６日（２００１．２．６）
【訂正の要旨】
　訂正の要旨
特許請求の範囲の減縮ないし明りょうでない記載の釈明を目的として、下記（１）〜（４）のように特許請求の範囲を訂正する。また、特許請求の範囲の訂正に応じて、発明の詳細な説明についても、適合性を持たせるために下記（５）〜（１５）のように訂正する。
（１）特許請求の範囲の請求項１を次のとおり訂正する。
　「【請求項１】画像が記録されたフイルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光電変換手段から出力された信号に基づいて画像を表示する表示手段と、前記光反射手段を移動させる移動手段と、を備えた写真焼付装置において、光反射手段を前記移動手段によって前記第１の位置に移動させ、光反射手段が第１の位置に位置している状態で、フイルムに記録された複数の画像が焼付位置を順に通過するように前記搬送手段によってフイルムを搬送させると共に、フイルム上の画像記録領域を透過した光を光電変換手段によって電気信号に変換し、前記光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、光反射手段が第２の位置に位置している状態で、前記複数の画像が焼付位置を順に通過するように搬送手段によってフイルムを搬送させると共に、前記記憶した焼付条件に基づいて各画像を順に印画紙に焼付ける写真焼付装置の制御方法。」
（２）特許請求の範囲の請求項２を次のとおり訂正する。
　「【請求項２】画像が記録されたフイルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光電変換手段から出力された信号に基づいて画像を表示する表示手段と、前記光反射手段を移動させる移動手段と、を備えた写真焼付装置において、光反射手段を前記移動手段によって前記第１の位置に移動させ、光反射手段が第１の位置に位置している状態で、フイルムに記録された複数の画像が焼付位置に順に位置決めされるように前記搬送手段によってフイルムを搬送させると共に、フイルム上の画像記録領域を透過した光を光電変換手段によって電気信号に変換し、前記表示手段に表示された画像に基づいて、フイルムに記録された画像の位置を確定するための情報が入力され、入力された情報により確定した画像位置を記憶することを各画像について順に行い、かつ、光反射手段を移動手段によって前記第２の位置に移動させた後に、光反射手段が第２の位置に位置している状態で、前記記憶した情報に基づき前記複数の画像が焼付位置に順に位置決めされるように、搬送手段によってフイルムを搬送させると共に、各画像を順に印画紙に焼付ける写真焼付装置の制御方法。」
（３）特許請求の範囲の請求項３を次のとおり訂正する。
「【請求項３】フイルムに記録された画像を印画紙に焼付ける際には、前記光電変換手段が光電変換を行う際と逆の方向にフイルムを搬送することを特徴とする請求項１記載の写真焼付装置の制御方法。」
（４）特許請求の範囲の請求項４を次のとおり訂正する。
　「【請求項４】画像が記録されたフイルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光電変換手段から出力された信号に基づいて画像を表示する表示手段と、前記光反射手段を移動させる移動手段と、光反射手段を前記移動手段によって前記第１の位置に移動させ、光反射手段が第１の位置に位置している状態で、フイルムに記録された複数の画像が焼付位置を順に通過するように前記搬送手段によってフイルムを搬送させると共に、フイルム上の画像記録領域を透過した光を光電変換手段によって電気信号に変換し、前記光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、光反射手段が第２の位置に位置している状態で、前記複数の画像が焼付位置を順に通過するように搬送手段によってフイルムを搬送させると共に、前記記憶した焼付条件に基づいて各画像を順に印画紙に焼付ける制御手段と、を有する写真焼付装置。」
（５）明細書の段落【００１０】の「変換することを各画像について順に行った後に、光反射手段を移動手段によって前記第２の位置に移動させ、光反射手段が」を『変換し、前記光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、光反射手段が』と訂正し、「と共に、各画像を」を『と共に、前記記憶した焼付条件に基づいて各画像を』と訂正する。
（６）明細書段落【００１１】及び【００１２】中の記載を削除する。
（７）明細書段落【００１３】の「請求項４記載の発明は、請求項１の発明・・・画像の位置決めを行うことを特徴としている。」を『請求項２記載の発明に係る写真焼付装置の制御方法は、画像が記録されたフイルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光電変換手段から出力された信号に基づいて画像を表示する表示手段と、前記光反射手段を移動させる移動手段と、を備えた写真焼付装置において、光反射手段を前記移動手段によって前記第１の位置に移動させ、光反射手段が第１の位置に位置している状態で、フイルムに記録された複数の画像が焼付位置に順に位置決めされるように前記搬送手段によってフイルムを搬送させると共に、フイルム上の画像記録領域を透過した光を光電変換手段によって電気信号に変換し、前記表示手段に表示された画像に基づいて、フイルムに記録された画像の位置を確定するための情報が入力され、入力された情報により確定した画像位置を記憶することを各画像について順に行い、かつ、光反射手段を移動手段によって前記第２の位置に移動させた後に、光反射手段が第２の位置に位置している状態で、前記記憶した情報に基づき前記複数の画像が焼付位置に順に位置決めされるように、搬送手段によってフイルムを搬送させると共に、各画像を順に印画紙に焼付ける』と訂正する。
（８）明細書段落【００１４】の「請求項５記載」を『請求項３記載』と訂正する。
（９）明細書段落【００１５】の「請求項６記載」を『請求項４記載』と訂正し、「変換することを各画像について順に行った後に、光反射手段を移動手段によって前記第２の位置に移動させ、光反射手段が」を『変換し、前記光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、光反射手段が』と訂正し、「と共に、各画像を」を『と共に、前記記憶した焼付条件に基づいて各画像を』と訂正する。
（１０）明細書段落【００２１】の「なお、光電変換手段から出力された信号は、・・・前記画像の焼付けを行うことができる。」を『更に請求項１記載の発明は、光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、補正情報の入力が有る場合には、入力された補正情報に応じて焼付条件を補正し、焼付条件を記憶することを各画像について順に行う。これにより、記憶した焼付条件に基づいて印画紙への画像の焼付けを行うことができる。』と訂正する。
（１１）明細書段落【００２２】中の記載を削除する。
（１２）明細書段落【００２５】の「請求項６記載」を『請求項４記載』と訂正し、「変換することを各画像について順に行った後に、光反射手段を移動手段によって第２の位置に移動させ、光反射手段が」を『変換し、光電変換手段から出力された信号に基づいて、フイルムに記録された画像を印画紙に焼付ける際の焼付条件を決定し、フイルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって第２の位置に移動させた後に、光反射手段が』と訂正し、「と共に、各画像を」を『と共に、前記記憶した焼付条件に基づいて各画像を』と訂正する。
（１３）明細書段落【００４１】の「請求項４に記載の」を『請求項２に記載の』と訂正する。
（１４）明細書段落【００４２】の「請求項３に記載の「焼付条件を確定するための情報」に相当」を『請求項１に記載の補正情報に相当』と訂正する。
（１５）明細書段落【００４３】の「請求項２及び請求項３に記載の」を『請求項１に記載の』と訂正する。
（５４）【発明の名称】
写真焼付装置及びその制御方法
（５７）【特許請求の範囲】
　　【請求項１】　画像が記録されたフィルムを搬送する搬送手段と、
　受光面に入射された光を各々電気信号に変換する光電変換手段と、
　光源から射出され焼付位置を通過した光を前記光電変換手段へ入射させる第１の位置と前記焼付位置を通過した光を印画紙へ入射させる第２の位置との間を移動可能な光反射手段と、
　前記光電変換手段から出力された信号に基づいて画像を表示する表示手段と、
　前記光反射手段を移動させる移動手段と、
　を備えた写真焼付装置において、
　光反射手段を前記移動手段によって前記第１の位置に移動させ、
　光反射手段が第１の位置に位置している状態で、フィルムに記録された複数の画像が焼付位置を順に通過するように前記搬送手段によってフィルムを搬送させると共に、フィルム上の画像記録領域を透過した光を光電変換手段によって電気信号に変換
し、
　
前記光電変換手段から出力された信号に基づいて、フィルムに記録された画像を印画紙に焼付ける際の焼付条件を決定し、フィルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、
　光反射手段が第２の位置に位置している状態で、前記複数の画像が焼付位置を順に通過するように搬送手段によってフィルムを搬送させると共に、
前記記憶した焼付条件に基づいて
　写真焼付装置の制御方法。
　　【請求項２】　
画像が記録されたフィルムを搬送する搬送手段と、
　
受光面に入射された光を各々電気信号に変換する光電変換手段と、
　
光源から射出され焼付位置を通過した光を前記光電変換手段へ入射させる第１の位置と前記焼付位置を通過した光を印画紙へ入射させる第２の位置との間を移動可能な光反射手段と、
　
前記光電変換手段から出力された信号に基づいて画像を表示する表示手段と、
　
前記光反射手段を移動させる移動手段と、
　
を備えた写真焼付装置において、
　
光反射手段を前記移動手段によって前記第１の位置に移動させ
　
光反射手段が第１の位置に位置している状態で、フィルムに記録された複数の画像が焼付位置に順に位置決めされるように前記搬送手段によってフィルムを搬送刺せると共に、フィルム上の画像記録領域を透過した光を光電変換手段によって電気信号に変換し、
　
前記表示手段に表示された画像に基づいて、フィルムに記録された画像の位置を確定するための情報が入力され、入力された情報により確定した画像位置を記憶することを各画像について順に行い、かつ、光反射手段を移動手段によって前記第２の位置に移動させた後に、
　
光反射手段が第２の位置に位置している状態で、前記記憶した情報に基づき前記複数の画像が焼付位置に順に位置決めされるように、搬送手段によってフィルムを搬送させると共に、各画像を順に印画紙に焼付ける
　
写真焼付装置の制御方法。
　　【請求項３】　
フィルムに記録された画像を印画紙に焼付ける際には、前記光電変換手段が光電変換を行う際と逆の方向にフィルムを搬送することを特徴とする請求項１記載の写真焼付装置の制御方法。
　　【請求項４】　
画像が記録されたフィルムを搬送する搬送手段と、
　
受光面に入射された光を各々電気信号に変換する光電変換手段と、
　
光源から射出され焼付位置を通過した光を前記光電変換手段へ入射させる第１の位置と前記焼付位署を通過した光を印画紙へ入射させる第２の位置との間を移動可能な光反射手段と、
　
前記光電変換手段から出力された信号に基づいて画像を表示する表示手段と、
　
前記光反射手段を移動させる移動手段と、
　
光反射手段を前記移動手段によって前記第１の位置に移動させ、光反射手段が第１の位置に位置している状態で、フィルムに記録された複数の画像が焼付位置を順に通過するように前記搬送手段によってフィルムを搬送させると共に、フィルム上の画像記録領域を透過した光を光電変換手段によって電気信号に変換し、
　
前記光電変換手段から出力された信号に基づいて、フィルムに記録された画像を印画紙に焼付ける際の焼付条件を決定し、フィルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、
　
光反射手段が第２の位置に位置している状態で、前記複数の画像が焼付位置を順に通過するように搬送手段によってフィルムを搬送させると共に、前記記憶した焼付条件に基づいて各画像を順に印画紙に焼付ける制御手段と、
　
を有する写真焼付装置。
【発明の詳細な説明】
　　　【０００１】
　　【産業上の利用分野】
　本発明はフィルムに記録された画像の焼付けを行う写真焼付装置、及び該写真焼付装置の制御方法に関する。
　　　【０００２】
　　【従来の技術】
　写真焼付装置において、フィルムに記録された画像の焼付条件の補正等を行うために、前記画像をディスプレイ等に表示するシミュレータ機能を備えたものがある。このような写真焼付装置では、フィルムに記録された画像を印画紙へ焼付ける前に前記画像を撮像し、ディスプレイ等の画面に表示する。
　　　【０００３】
　従来、フィルムに記録された画像を撮像するために、焼付用と別に撮像用の光源を設けこの光源から射出され画像を透過した光を撮像素子に入射させる２光源方式を採用したり、前記画像の画像面に対して斜めから測光、撮像する斜め測光方式等を採用していた。しかしながら、前記２光源方式では新たに光源を設ける必要があるのでコストがかかると共に占有スペースが大きくなり、かつフィルムの搬送方向を９０°回転することが容易でない等の取扱いの自由度が低い。また斜め測光方式ではディスプレイに表示する画像に歪が生じる等の問題がある。
　　　【０００４】
　さらに光源から射出され画像を透過した光を、焼付光路上に固定配置したハーフミラーまたは測光時に焼付光路上に配置され焼付時に前記焼付光路から退避するよう移動される全反射ミラーによって反射させて測定光として取り出し、撮像素子へ入射させることも考えられるが、前記ハーフミラーを用いた場合には、ハーフミラーによる光学性能の劣化が問題となる。また全反射ミラーを用いた場合には、全反射ミラーを移動させるための時間が処理時間に積算されるので焼付処理を高速で行うことができない。さらに処理時間を短縮するために全反射ミラーを高速で移動させると危険である。
　　　【０００５】
　このため本出願人は、上記問題を解決し焼付処理時間を短縮するようにした写真焼付装置を既に出願している（特開平２−２７８２４８号公報参照）。この写真焼付装置では、１３５サイズ以下のフィルムを焼付ける場合に焼付光路上に挿入されるズームレンズに、写真フィルムを透過した光の一部を撮像素子へ導くハーフプリズムを取付けると共に、前記ズームレンズの適用範囲外のフィルムの焼付けを行う場合には、焼付光路上を通過する光を撮像素子へ反射する全反射ミラーを挿入するようにしている。
　　　【０００６】
　これによれば、処理枚数が多い１３５サイズ以下のフィルムの焼付けを行う場合には、ズームレンズと共に焼付光路上に配置されたハーフプリズムによって光の一部を撮像素子へ反射するため、１３５サイズ以下のフィルムを連続して測光、焼付ける場合に移動する部材がなく、高速でかつ安全に焼付処理を行うことができる。また、例えばブローニサイズのフィルムに対してハーフプリズムを用いる場合には、画角が大きいため大型のハーフプリズムを用いる必要があり、このようなハーフプリズムは高価である。
　　　【０００７】
　このため、上記ではズームレンズの適用範囲外のサイズ、例えばブローニサイズのフィルムの焼付け時には、単一の画像の焼付けを行う毎に焼付光路上に全反射ミラーを挿入、退避するようにしているが、１３５サイズよりも大きいフィルムの処理枚数は少ないため、全反射ミラーの移動時間がトータルの処理時間に大きく影響を及ぼすことはない。従って全反射ミラーの移動速度を比較的低速として安全性を確保した場合にも処理時間が大幅に増加することはない。
　　　【０００８】
　　【発明が解決しようとする課題】
　しかしながら、上記写真焼付装置ではハーフミラーまたは全反射ミラーのみを用いる方式と比較して、前記ミラーに加えて新たにハーフプリズムの光学的な位置調整等も行う必要があるので、写真焼付装置の光学系の調整作業が煩雑であった。また、ハーフプリズムは高価であるため写真焼付装置のコストが上昇するという問題もある。
　　　【０００９】
　本発明が上記事実を考慮して成されたもので、低コストでかつ高速で焼付処理を行うことができる写真焼付装置及びその制御方法を得ることが目的である。
　　　【００１０】
　　【課題を解決するための手段】
　上記目的を達成するために請求項１記載の発明に係る写真焼付装置の制御方法は、画像が記録されたフィルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光電変換手段から出力された信号に基づいて画像を表示する表示手段と、前記光反射手段を移動させる移動手段と、を備えた写真焼付装置において、光反射手段を前記移動手段によって前記第１の位置に移動させ、光反射手段が第１の位置に位置している状態で、フィルムに記録された複数の画像が焼付位置を順に通過するように前記搬送手段によってフィルムを搬送させると共に、フィルム上の画像記録領域を透過した光を光電変換手段によって電気信号に変換
し、前記光電変換手段から出力された信号に基づいて、フィルムに記録された画像を印画紙に焼付ける際の焼付条件を決定し、フィルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、
前記記憶した焼付条件に基づいて
　　　【００１１】
　　　【００１２】
　　　【００１３】
　
請求項２記載の発明に係る写真焼付装置の制御方法は、画像が記録されたフィルムを搬送する搬送手段と、受光面に入射された光を各々電気信号に変換する光電変換手段と、光源から射出され焼付位置を通過した光を前記光電変換手段へ入射させる第１の位置と前記焼付位置を通過した光を印画紙へ入射させる第２の位置との間を移動可能な光反射手段と、前記光電変換手段から出力された信号に基づいて画像を表示する表示手段と、前記光反射手段を移動させる移動手段と、を備えた写真焼付装着において、光反射手段を前記移動手段によって前記第１の位置に移動させ、光反射手段が第１の位置に位置している状態で、フィルムに記録された複数の画像が焼付位置に順に位署決めされるように前記搬送手段によってフィルムを搬送させると共に、フィルム上の画像記録領域を透過した光を光電変換手段によって電気信号に変換し、前記表示手段に表示された画像に基づいて、フィルムに記録された画像の位署を確定するための情報が入力され、入力された情報により確定した画像位置を記憶することを各画像について順に行い、かつ、光反射手段を移動手段によって前記第２の位署に移動させた後に、光反射手段が第２の位置に位置している状態で、前記記憶した情報に基づき前記複数の画像が焼付位署に順に位置決めされるように、搬送手段によってフィルムを搬送させると共に、各画像を順に印画紙に焼付ける。
　　　【００１４】
　請求項
３
　　　【００１５】
　請求項
４
し、前記光電変換手段から出力された信号に基づいて、フィルムに記録された画像を印画紙に焼付ける際の焼付条件を決定し、フィルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって前記第２の位置に移動させた後に、
前記記憶した焼付条件に基づいて
　　　【００１６】
　　【作用】
　請求項１記載の発明では、写真焼付装置が、光源から射出され焼付位置を通過した光を光電変換手段へ入射させる第１の位置と、焼付位置を通過した光を印画紙へ入射させる第２の位置と、の間を移動可能な光反射手段を備えている。この光反射手段として光反射率の高いミラー、例えば安価な全反射ミラーを用ることができ、例えば焼付光路上に配置され焼付位置を通過した光を光電変換手段へ反射する第１の位置と、前記焼付光路から退避した第２の位置との間を移動可能に構成することができる。
　　　【００１７】
　また請求項１の発明では、光反射手段を移動手段によって第１の位置に移動させ、光反射手段が第１の位置に位置している状態で、フィルムに記録された複数の画像が焼付位置を順に通過するように搬送手段によってフィルムを搬送させると共に、フィルム上の画像記録領域を透過した光を光電変換手段によって電気信号に変換することを各画像について順に行う。これにより、フィルム上の各画像の記録領域を透過した光が光電変換手段によって順次電気信号に変換され、光電変換手段から出力された信号に基づいて表示手段に画像が表示される。
　　　【００１８】
　続いて請求項１の発明では、光反射手段を移動手段によって第２の位置に移動させ、光反射手段が第２の位置に位置している状態で、複数の画像が焼付位置を順に通過するように搬送手段によってフィルムを搬送させると共に、各画像を順に印画紙に焼付ける。これにより、フィルムに記録されている各画像が順次印画紙に焼付けられる。
　　　【００１９】
　このように、請求項１の発明によれば、例えば単一のフィルムに記録された多数の画像の焼付処理を行う場合であっても光反射手段を２回移動させるのみで済むので、光反射手段の移動時間が処理時間に与える影響は極めて小さく、焼付処理を高速で行うことができると共に、光反射手段の移動回数が減少することで耐久性にも優れている。また、光反射手段の移動時間が処理時間に与える影響は極めて小さいため光反射手段の移動速度を低速とすることも可能であり、これにより安全性を確保することができると共に、光反射手段として反射面の大きなミラーや反射面の平面度が高く重量のあるミラーを用いることができ、更に移動手段として低コストな構成を採用することができる。
　　　【００２０】
　また請求項１の発明では、フィルム上の画像記録部分を透過した光の光電変換手段による電気信号への変換、及び印画紙への画像の焼付けを、フィルムのサイズに拘わらず、光反射手段を第１の位置と第２の位置の間で移動させることで実現できるので、高価なハーフプリズム等を用いる必要がなく、写真焼付装置を低コストで構成できると共に省スペースを実現することができ、光反射手段に加えて別途ハーフプリズム等の他の反射手段の光学的な位置調整を行う必要もない。さらに、焼付処理時にハーフミラーやハーフプリズムを焼付光路上に配置する場合と比較して、印画紙とフィルムとの間にレンズ以外のものがないため、光学性能を確保しやすい。
　　　【００２１】
　
更に請求項１記載の発明は、光電変換手段から出力された信号に基づいて、フィルムに記録された画像を印画紙に焼付ける際の焼付条件を決定し、フィルムに記録された画像を印画紙に焼付ける際の焼付条件を前記表示手段に表示された画像に基づいて補正する補正情報の入力の有無を判断し、補正情報の入力が有る場合には、入力された補正情報に応じて焼付条件を補正し、焼付条件を記憶することを各画像について順に行う　これにより、記憶した焼付条件に基づいて印画紙への画像の焼付けを行うことができる。
　　　【００２２】
　　　【００２３】
　また、光反射手段が第１の位置に位置している状態、及び光反射手段が第２の位置に位置している状態で、各々複数の画像が焼付位置に順に位置決めされるように搬送手段によってフィルムを搬送させる態様において、表示手段に表示される画像は、例えば請求項
２
　　　【００２４】
　請求項
３
　　　【００２５】
　請求項
４
し、光電変換手段から出力された信号に基づいて、フィルムに記録された画像を印画紙に焼付ける際の焼付条件を決定し、フィルムに記録された画像を印画紙に焼付ける際の焼付条件を前記表示手段に表示された画像に基づいて補正する補正情報の入力の有無を判断し、前記補正情報の入力が有る場合には、入力された補正情報に応じて焼付条件を補正し、焼付条件を記憶することを各画像について順に行い、かつ、光反射手段を移動手段によって第２の位置に移動させた後に、
記憶した焼付条件に基づいて
　　　【００２６】
　　【実施例】
　以下図面を参照して本発明の実施例を詳細に説明する。図１には本発明に係る写真焼付装置１０が示されている。
　　　【００２７】
　写真焼付装置１０はハロゲンランプ、リフレクタによって構成される光源１２を備えている。光源１２の上方にはＣ（シアン）、Ｍ（マゼンダ）、Ｙ（イエロー）の各色のカットフィルタ１６、１８、２０を備えた調光フィルタ部１４が配設されている。各カットフィルタ１６、１８、２０は各々ドライバ２２、２４、２６によって、光源１２から射出された光線が通過する焼付光路Ｌ上へ挿入される方向、または焼付光路Ｌから退避する方向へ互いに独立して移動される。調光フィルタ部１４のドライバ２２、２４、２６は制御回路２８に接続されており、制御回路２８からの信号に応じて各カットフィルタ１６、１８、２０を移動させる。
　　　【００２８】
　調光フィルタ部１４の上方の焼付光路Ｌ上には、図示しない光拡散ボックスを挟んでネガマスク３０が配設されている。ネガマスク３０を挟んで両側にはシャフト３２とシャフト３４とが配設されている。シャフト３２には写真焼付装置１０にセットされたネガフィルム３６の一端が層状に巻取られており、該ネガフィルム３６の他端はシャフト３４に層状に巻取られている。ネガマスク３０はネガフィルム３６の中間部を挟持して固定できるようになっている。なお、ネガフィルム３６はネガフィルム３６の長手方向に沿って多数の画像が露光され、現像、定着、水洗、乾燥の各処理が施された後に写真焼付装置１０にセットされる。
　　　【００２９】
　ネガマスク３０とシャフト３４との間には、ネガフィルム３６を挟持するように一対の搬送ローラ３８が配置されている。搬送ローラ３８はモータ４０の駆動力が伝達されて回転し、ネガフィルム３６を所定方向（例えば図１矢印Ａ方向）及び所定方向と反対の方向（例えば図１矢印Ｂ方向）に搬送する。モータ４０は制御回路２８に接続されている。モータ４０は制御回路２８によって駆動が開始され、ネガフィルム３６に記録された画像がネガマスク３０に対応したとき、すなわち焼付位置に位置したときに駆動が停止され、ネガフィルム３６の搬送が停止するように制御される。
　　　【００３０】
　シャフト３２とネガマスク３０との間にはテンションローラ４２が配設されており、写真焼付装置１０にセットされたネガフィルム３６はテンションローラ４２に巻掛けられる。また、搬送ローラ３８とシャフト３４との間にも同様にテンションローラ４４が配設されており、ネガフィルム３６が巻掛けられるようになっている。テンションローラ４２、４４は図示しない付勢手段によってネガフィルム３６の搬送路から離間する方向へ付勢されており、ネガフィルム３６の搬送時のテンションを略一定に保持している。
　　　【００３１】
　また、前述のネガマスク３０には駆動装置４６が接続されており、駆動装置４６によってネガフィルム３６をマスクするマスク領域の面積が変更される。駆動装置４６は制御回路２８に接続されており、ネガマスク３０のマスク領域のサイズが、写真焼付装置１０にセットされたネガフィルム３６に記録されている画像コマのサイズに略一致するように駆動される。
　　　【００３２】
　ネガマスク３０の上方の焼付光路Ｌ上には焼付用レンズ４８及びブラックシャッタ５０が順次配設されている。ブラックシャッタ５０はドライバ５２によって開閉され、焼付光路Ｌ上の光を通過または遮断する。ドライバ５２は制御回路２８に接続されており、制御回路２８によって作動が制御される。
　　　【００３３】
　ブラックシャッタ５０の上方には印画紙５４の搬送路が形成されており、印画紙５４の搬送路と焼付光路しとが交差する位置にはペーパマスク５６が配置されている。ペーパマスク５６を挟んで印画紙５４の搬送路の両端にはシャフト５８とシャフト６０とが配設されている。シャフト５８には印画紙５４の一端が層状に巻取られており、印画紙５４の他端はシャフト６０に層状に巻取られている。ペーパマスク５６は印画紙５４の中間部を挟持して固定できるようになっている。ブラックシャッタ５０が開放されると、焼付位置に位置決めされたネガフィルム３６を透過して焼付光路Ｌを通過した光がペーパマスク５６に到達し、印画紙５４のペーパマスク５６に位置決めされた部位にネガフィルム３６に記録された画像が焼付される。
　　　【００３４】
　ペーパマスク５６とシャフト６０との間には、印画紙５４を挟持するように一対の搬送ローラ６２が配置されている。搬送ローラ６２はモータ６４の駆動力が伝達されて回転し、印画紙を図１矢印Ｃ方向に搬送する。これにより、印画紙５４はシャフト５８から引き出され、シャフト６０に巻き取られる。モータ６４は制御回路２８に接続されており、制御回路２８によって駆動が制御される。シャフト５８とペーパマスク５６との間及び搬送ローラ３８とシャフト６０との間には各々テンションローラ６６、６８が配設されており、印画紙５４はテンションローラ６６、６８に巻掛けられる。テンションローラ６６、６８は図示しない付勢手段によって印画紙５４の搬送路から離間する方向へ付勢されており、印画紙５４搬送時のテンションを略一定に保持している。
　　　【００３５】
　また、焼付用レンズ４８の近傍には光反射手段としての全反射ミラー７０が配設されている。全反射ミラー７０は、図１に想像線で示すように焼付光路Ｌ上に挿入された第１の位置と、図１に実線で示すように焼付光路しから退避した第２の位置と、の間を移動可能とされている。全反射ミラー７０は移動手段としての駆動部７２によって前記２つの位置の間を移動される。全反射ミラー７０は、第１の位置へ移動された状態で焼付光路Ｌを通過する光を焼付光路しの側方に反射する。全反射ミラー７０によって反射された光が通過する光路上には測光用ズームレンズ７４及び光電変換手段としての２次元イメージセンサ７６が配置されており、全反射ミラー７０によって反射された光は測光用ズームレンズ７４を介してイメージセンサ７６に入射される。イメージセンサ７６は制御回路２８に接続されており、受光面の各部位に入射された光を各々電気信号に変換して制御回路２８へ出力する。
　　　【００３６】
　制御回路２８にはディスプレイ７８及びキーボード８０が接続されている。全反射ミラー７０が第１の位置へ移動された状態で、ネガフィルム３６の特定の画像コマが焼付位置に位置決めされた場合、イメージセンサ７６にはネガフィルム３６の前記特定の画像コマを透過した光が入射される。制御回路２８は前記場合にイメージセンサ７６から入力された信号に対して所定の処理（後述）を行ってビデオ信号へ変換し、ディスプレイ７８に出力する。ディスプレイ７８には入力されたビデオ信号に応じた映像が表示される。オペレータはこの表示に基づいて露光データを修正する。また、オペレータはキーボード８０を介してネガフィルムのサイズ等のパラメータを入力する。
　　　【００３７】
　次に図２のフローチャートを参照して本実施例の作用を説明する。ステップ１００では写真焼付装置１０にネガフィルム３６がセットされたか否か判定する。写真焼付装置１０にネガフィルム３６がセットされるとステップ１００の判定が肯定され、ステップ１０２ではネガフィルム３６のサイズに拘わらず、駆動部７２によって全反射ミラー７０を焼付光路Ｌ上の第１の位置へ移動させる。これにより、光源１２から射出されネガフィルム３６を透過した光は、ズームレンズ７４を介してイメージセンサ７６に入射される。また、このときネガマスク３０のマスク領域のサイズが、セットされたネガフィルム３６の画像コマのサイズに略一致するように駆動装置４６が駆動される。
　　　【００３８】
　ステップ１０４ではモータ４０を駆動し、ネガフィルム３６の所定方向（図１矢印Ａ方向）への搬送を開始させる。ステップ１０６ではネガフィルム３６に記録された画像コマが、ネガマスク３０に対応する焼付位置に到達したか否か判定する。ステップ１０６の判定が否定された場合にはステップ１０４へ戻り、ステップ１０６の判定が肯定されるまでネガフィルム３６の搬送を継続する。
　　　【００３９】
　ネガフィルム３６の画像コマが焼付位置に到達すると、モータ４０の駆動が停止されてステップ１０８へ移行する。ステップ１０８ではイメージセンサ７６から入力された信号に基づいて画像濃度を算出し、予め記憶された基準ネガフィルムの画像濃度との差に基づいて焼付条件を演算する。次のステップ１１０では、イメージセンサ７６から入力された信号に基づいて、前記焼付条件でプリントを行った場合のプリント画像を推定し、該推定した画像（シミュレート画像）を表すビデオ信号を生成し、ディスプレイ７８へ出力する。これによりディスプレイ７８には、焼付位置に到達した画像コマを前記焼付条件でプリントした画像のシミュレート画像が表示される。
　　　【００４０】
　なお、イメージセンサ７６は全反射ミラー７０によって反射された光が通過する光路上に配置されているため、イメージセンサ７６から入力された信号を処理してディスプレイ７８に表示したシミュレート画像は、斜め測光方式におけるシミュレート画像と比較して歪が小さい。
　　　【００４１】
　ステップ１１１ではネガフィルム３６の停止位置を補正する情報が入力されたか否か判定する。オペレータはディスプレイ７８に表示された画像を参照し、まず焼付位置に到達した画像コマが焼付位置に正確に位置決めされているか否かを判断し、正確に位置決めされていないと判断した場合にはネガフィルム３６の停止位置を補正するための補正量（請求項
２
　　　【００４２】
　ステップ１１１の判定が否定された場合には、画像コマが焼付位置に正確に位置決めされており、画像コマ位置の検出が完了し画像コマ位置が確定している。このためステップ１１３へ移行し、確定した画像コマ位置を記憶する。次のステップ１１４ではステップ１０８で演算された焼付条件を補正する補正情報が入力されたか否か判定する。画像コマが焼付位置に正確に位置決めされると、次にオペレータはディスプレイ７８に表示された画像を参照して焼付条件の補正が必要か否か判断する。焼付条件の補正が必要であると判断した場合にはキーボード８０を操作して焼付条件の補正情報（請求項
１
補正情報
　　　【００４３】
　この補正情報が入力されるとステップ１１４の判定が肯定され、ステップ１１５では入力された補正情報に応じて前記焼付条件を補正しステップ１１６へ移行する。また、補正情報が入力されない場合にはステップ１１５を実行することなくステップ１１６へ移行する。ステップ１１６では上記のようにして決定された位置決めされている画像コマの焼付条件を記憶装置に記憶する（請求項
１
　　　【００４４】
　ステップ１１８ではネガフィルム３６に記録された全ての画像コマに対する処理が終了したか否か判定する。ステップ１１８の判定が否定された場合にはステップ１０４へ戻り、ステップ１１８の判定が肯定されるまでステップ１０４乃至ステップ１１８の処理を繰り返す。これにより、ネガフィルム３６に記録された全ての画像コマに対し、画像をディスプレイ７８に表示し、必要に応じて補正情報を入力させて焼付条件を決定し記憶する処理を繰り返す。ステップ１１８の判定が肯定された場合にはステップ１２０へ移行する。
　　　【００４５】
　ステップ１２０以降ではネガフィルム３６に記録された画像コマを順次印画紙５４に焼付ける処理を行う。すなわち、ステップ１２０では全反射ミラー７０が焼付光路Ｌから退避した第２の位置へ移動するよう駆動部７２に指示する。これにより、光源１２から射出されネガフィルム３６を透過した光は、焼付用レンズ４８を通過してブラックシャッタ５０へ導かれる。なお、このときブラックシャッタ５０は閉止されている。次のステップ１２１では、前述のステップ１１３で記憶した画像コマ位置のうち、次に焼付けを行う画像コマの画像コマ位置を取り込む。
　　　【００４６】
　ステップ１２２ではネガフィルム３６の搬送方向が反転するようにモータ４０を駆動し、ネガフィルム３６の前記所定方向と反対の方向（図１矢印Ｂ方向）への搬送を開始させる。ステップ１２４では、ネガフィルム３６に記録された画像コマがネガマスク３０に対応する焼付位置に位置決めされたか否かを、前記で取り込んだ画像コマ位置に基づいて判定する。これにより、例えば画像コマの間隔が一定でない等の場合にも、画像コマを焼付位置に正確に位置決めすることを自動的に行うことができる。ステップ１２４の判定が否定された場合にはステップ１２２へ戻り、ステップ１２４の判定が肯定されるまでネガフィルム３６の搬送を継続する。
　　　【００４７】
　ネガフィルム３６の画像コマが焼付位置に位置決めされると、モータ４０の駆動が停止されてステップ１２６へ移行する。ステップ１２６では前述のステップ１１６で記憶装置に記憶した焼付条件を参照し、位置決めした画像コマに対応する焼付条件を取り込む。ステップ１２８では位置決めされた画像コマの画像が取り込んだ焼付条件で印画紙５４に焼付けされるように、調光フィルタ部１４、ブラックシャッタ５０等の光学系を制御する。ステップ１３０ではネガフィルム３６に記録された全ての画像コマに対して処理が終了したか否か判定する。
　　　【００４８】
　ステップ１３０の判定が否定された場合にはステップ１２１へ戻り、ステップ１３０の判定が肯定されるまでステップ１２１乃至ステップ１３０の処理を繰り返す。これにより、ネガフィルム３６は所定方向と反対の方向へ搬送され、画像コマの画像が前記記憶した焼付条件で印画紙５４へ順次焼付けされる。
　　　【００４９】
　このように本実施例では、ネガフィルムのサイズに拘わらず全反射ミラー７０を焼付光路Ｌ上に挿入し、ネガフィルム３６を所定方向へ搬送しながら各画像コマの焼付条件を決定し、次に全反射ミラー７０を焼付光路しから退避させネガフィルム３６を所定方向と反対の方向へ搬送しながら各画像コマの画像を印画紙５４へ焼付けるようにしたので、１本のネガフィルム３６に記録された全ての画像を印画紙５４へ焼付ける際に全反射ミラー７０の移動回数が２回で済む。このため、全反射ミラー７０の移動時間によって焼付処理時間が大きく増大することはなく、全反射ミラー７０の移動時間を低速として安全性を確保した場合にもネガフィルム３６のサイズに拘わらず焼付処理を短時間で行うことができる。
　　　【００５０】
　また、本実施例では反射手段として全反射ミラー７０を用い高価なハーフプリズム等を用いていないので、写真焼付装置を低コストで構成することができると共に、ハーフプリズム等の光学的な位置調整を行う必要もない。さらに、焼付処理時には全反射ミラーが焼付光路Ｌから退避するので、焼付処理時にハーフミラー、ハーフプリズム等を焼付光路Ｌ上に配置する場合と比較して、印画紙５４とフィルムとの間にレンズ以外のものがなくなり、充分な光学性能を確保しやすくなる。
　　　【００５１】
　さらに、シミュレータ機能を備えていない写真焼付装置にシミュレータ機能を追加する場合に本発明を適用し、本実施例のように焼付処理時に全反射ミラーが焼付光路Ｌから退避するよう構成すれば、焼付用レンズ４８等の光学系を変更する必要もない。
　　　【００５２】
　また、本実施例では光源１２から射出される光を焼付用及び撮像用に用いる１光源方式を採用したので、写真焼付装置１０を低コストで構成できると共に光源の占有スペースを小さくすることができ、さらにネガフィルム３６の搬送方向を９°回転する等の取扱いの自由度が高い。
　　　【００５３】
　なお、ディスプレイ７８には複数の画像コマのプリント後のシミュレート画像を表示するようにしてもよい。これによりオペレータは、ネガフィルム３６に記録された画像の全体的な傾向を判断して焼付条件の補正を行うことができる。
　　　【００５４】
　また、本実施例ではネガフィルム３６に記録された画像コマを焼付位置を往復させ、往路で画像コマ位置の検出及び焼付条件の決定を行い、復路で焼付処理を行うようにしていたが、本発明はこれに限定されるものではなく、ネガフィルム３６を単一方向にのみ搬送するように写真焼付装置１０を構成し、該写真焼付装置１０にネガフィルム３６を２回セットして、１回目にセットされたときに画像コマ位置の検出及び焼付条件の決定を行い、２回目にセットされたときに焼付処理を行うようにしてもよい。
　　　【００５５】
　　【発明の効果】
　以上説明したように本発明では、光源から射出され焼付位置を通過した光を光電変換手段へ入射させる第１の位置に光反射手段を移動させ、光反射手段が第１の位置に位置している状態で、フィルムに記録された複数の画像が焼付位置を順に通過するようにフィルムを搬送させると共に、フィルム上の画像が記録された部分を透過した光を光電変換手段によって電気信号に変換することを各画像について順に行った後に、前記焼付位置を通過した光を印画紙へ入射させる第２の位置に光反射手段を移動させ、光反射手段が第２の位置に位置している状態で、前記複数の画像が焼付位置を順に通過するように搬送手段によってフィルムを搬送させると共に各画像を順に印画紙に焼付けるようにしたので、低コストでかつ高速で焼付処理を行うことができる、という優れた効果が得られる。
【図面の簡単な説明】
　　【図１】　本実施例に係る写真焼付装置の概略構成図である。
　　【図２】　本実施例の作用を説明するフローチャートである。
　　【符号の説明】
　　　　１０　　写真焼付装置
　　　　２８　　制御回路
　　　　３６　　ネガフィルム
　　　　５４　　印画紙
　　　　７０　　全反射ミラー
　　　　７２　　駆動部
　　　　７６　　イメージセンサ
　　　　７８　　ディスプレイ